(57)【要約】【課題】挿入力が小さく耐引出し力が大きい流体クイックコネクタを提供する。【解決手段】流体クイックコネクタは、ハウジングと、このハウジング中に挿入される筒部と係合状態で、ハウジング内の第１の位置と第２の位置との間を移動可能なスリーブとを有している。ハウジングに装着されたリテイナーが、少なくともひとつの径方向内方に延びた突出部を有している。突出部は、ハウジングのアパチャの中を通って筒部と係合するように延びており、この結果、筒部はハウジング中にラッチされる。前記スリーブは、第１の位置にあるときに、前記突出部がハウジングのアパチャの中を通って延びることを阻止し、この結果、筒部をハウジング中に挿入可能である。スリーブが第２の位置に移動すると、リテイナーは、ハウジングのアパチャの中を通って筒部と係合するように収縮移動することができる。【選択図】  図４
2006189156.tif 000002
【特許請求の範囲】
【請求項１】
ショルダー部を有する筒部と、
一端面から延びている孔を有し、この孔中へと、前記筒部が前記一端面を通って挿入可能なハウジングと、
このハウジングに形成された少なくとも１つのアパチャと、
前記筒部を前記ハウジング中にラッチさせるために、筒部の前記ショルダー部と係合するようにハウジングの前記アパチャを通って延出可能な少なくとも１つの突出部を有するリテイナーと、
前記筒部がハウジングの前記孔中に挿入されている間に、前記筒部との係合に応じて第１の位置と第２の位置との間で移動するように、ハウジングの前記孔中に装着されるスリーブとを具備し、
前記第１の位置において、前記スリーブは、前記リテイナーの外径を、リテイナーの通常の状態に対して径方向外方に拡大した状態に保持し、前記筒部をハウジングの前記孔中へと挿入可能にするように、ハウジングの前記少なくとも１つのアパチャの所を通過して延びており、前記第２の位置において、前記スリーブは、リテイナーの前記少なくとも１つの突出部が、前記少なくとも１つのアパチャの中を通って延び、筒部の前記ショルダー部と係合するのを可能にするように、ハウジングの前記少なくとも１つのアパチャから離間している、流体クイックコネクタ。
【請求項２】
前記筒部のショルダー部は、径方向に拡大したフランジを有している請求項１の流体クイックコネクタ。
【請求項３】
前記筒部のショルダー部は、凹型の溝部を有している請求項１の流体クイックコネクタ。
【請求項４】
前記リテイナーの少なくとも１つの突出部は、少なくとも２つの周方向に離間した突出部を含んでおり、
前記ハウジングの少なくとも１つのアパチャは、少なくとも２つの周方向に離間したアパチャを含んでいる請求項１の流体クイックコネクタ。
【請求項５】
第１の前記少なくとも１つのアパチャから離間し、前記ハウジングに形成された少なくとも１つの他のアパチャをさらに具備しており、
前記スリーブは、前記少なくとも１つの他のアパチャ内で移動可能な少なくとも１つの突出部を有しており、前記少なくとも１つの突出部と、前記少なくとも１つの他のアパチャとは、前記スリーブの前記第１の位置と第２の位置との間の移動を制限するようになっている請求項１の流体クイックコネクタ。
【請求項６】
前記スリーブの少なくとも１つの突出部は、少なくとも２つの周方向に離間したアパチャを含んでおり、
前記ハウジングの少なくとも１つの他のアパチャは、少なくとも２つの周方向で離間したアパチャを含んでいる請求項５の流体クイックコネクタ。
【請求項７】
前記スリーブは、前記リテイナーを受けるように、このスリーブに支持されたアンダーカットをさらに有している請求項１の流体クイックコネクタ。
【請求項８】
前記リテイナーは、リング部分を有しており、このリング部分に、前記少なくとも１つの突出部が支持されている請求項１の流体クイックコネクタ。
【請求項９】
前記リテイナーの突出部とリング部分とは、共通面にある請求項８の流体クイックコネクタ。
【請求項１０】
前記リング部分は、このリング部分の直径を変更するための係合手段を有している請求項８の流体クイックコネクタ。
【請求項１１】
前記リング部分は、第１の面にあり、
前記係合手段は、前記面から延びている請求項１０の流体クイックコネクタ。
【請求項１２】
前記係合手段は、前記リテイナーの直径を拡大して、前記筒部と前記ハウジングとの分離を可能にするように、互いに移動可能である請求項１０の流体クイックコネクタ。
【請求項１３】
前記リテイナーは、エンドセグメントによって相互接続された１対の移動可能な脚部を有しており、
各脚部に、前記突出部が支持されている請求項１の流体クイックコネクタ。
【請求項１４】
前記筒部は、先端部から離間した大径のフランジを有しており、
前記リテイナーは、前記筒部がハウジングの前記孔中に挿入されているときに、筒部の前記環状フランジを中に受けるように、一端部近くに環状のリセスを有している請求項１の流体クイックコネクタ。
【発明の詳細な説明】
【技術分野】
【０００１】
本発明は、一般的に、流体部品をカップリングさせる流体クイックコネクタに関する。
【背景技術】
【０００２】
スナップ適合式のコネクタ、即ちクイックコネクタは、自動車並びにその他の産業上の応用例において、流体を搬送する導管を結合するための幅広い応用例で使用されている。このようなクイックコネクタは、チューブ状の導管、即ち筒部のような一方のコネクタ部品を、他のコネクタ部品、即ちハウジングの相補的な孔中に固定するために、リテイナー、即ちロック部材を利用する。
【０００３】
ワイヤーコネクタが知られている。ワイヤーリテイナーは、クイックコネクタハウジングの孔を横切るように横から延びている複数の突出部、即ち脚部を代表的に有している。ワイヤーリテイナーによって、筒部の拡大フランジ、即ちビードは、リテイナーを通過して、コネクタハウジングの孔中の完全なシール位置へと挿入されることができる。リテイナーの互いに離間した突出部、即ち脚部は、元の通常の形状にスナップバック適合されるか、筒部のフランジの後に位置され、この結果、筒部はハウジング中にラッチされる。
【０００４】
挿入力が小さく、引出し力が大きいクイックコネクタは、組み立てが容易で、長期間の接続に信頼性があるため、顧客によって好まれる。筒部をハウジング中に挿入している間に、知られたワイヤーリテイナーを外方に押出すには、比較的強い挿入力が必要である。
【発明の開示】
【発明が解決しようとする課題】
【０００５】
挿入力が小さく、耐引出し力が大きい、改善された流体クイックコネクタを提供することが望ましい。
【課題を解決するための手段】
【０００６】
本発明は、ワイヤーリテイナーを有する流体クイックコネクタである。一態様において、この流体クイックコネクタは、ショルダー部を備えた筒部を有している。ハウジングが、一端面から延びている孔を有しており、この孔は、一端面を介して筒部を受ける。少なくとも１つのアパチャが、この孔に対して開口し、ハウジングに形成されている。前記リテイナーは、筒部をハウジング中にラッチするように、ハウジングのアパチャの中を通って、筒部のショルダー部と係合するように延出可能な少なくとも１つの突出部を有している。トップハットのようなスリーブが、ハウジングの孔中に移動可能に装着され、筒部がハウジングの一端部へと挿入されている間の筒部との係合に応じて、第１の位置と第２の位置との間を移動する。第１の位置において、前記スリーブは、リテイナーの直径を径方向外方に拡大し、筒部をハウジングの孔中へと挿入可能にするように、ハウジングの少なくとも１つのアパチャの所を通過して延びている。第２の位置において、スリーブは、リテイナーの少なくとも１つの突出部が、少なくとも１つのアパチャの中を通って移動し、ショルダー部と筒部とに係合し、筒部をハウジング中にラッチさせるのを可能にするように、ハウジングの少なくとも１つのアパチャから離間している。
【０００７】
一態様において、前記筒部のショルダー部は、径方向に拡大したフランジである。他の態様において、ショルダー部は、凹型の溝部である。
【０００８】
一態様において、前記スリーブは、一端部に大径のリセスを備えた透孔を有している。本発明の一態様において、前記リセスは、筒部の大径のフランジを受け、筒部がハウジングの孔中へと軸方向に連続して挿入されことによって、スリーブ、即ちトップハットが、第１の位置から第２の位置へと移動される。
【０００９】
本発明のワイヤーリテイナーを備えた流体クイックコネクタは、スリーブ、即ちトップハットが、リテイナーを大径状態の位置に保持し、この結果、筒部が、ハウジング内の完全なシール位置へとハウジングの孔中にスムーズかつ自由に挿入可能であるので、挿入力は小さい。筒部がハウジング内の完全なシール位置にあるときのみ、リテイナーは、筒部とラッチ係合するようにリリースされる。これと同時に、リテイナーは、ハウジング中のラッチ位置に筒部を保持するように、強い耐引出し力を与える。
【発明を実施するための最良の形態】
【００１０】
本発明の流体クイックコネクタの様々な態様を説明する前に、本発明の特徴並びに効果を明瞭に理解するために、流体クイックコネクタの一般的な使用が簡単に説明されている。
【００１１】
チューブ状部材を接続するために本発明の流体クイックコネクタを使用するという以下の説明が、導管、ホース、並びに/若しくは、金属又はプラスチックのチューブを流体フロー連通した状態で互いに接続させることに応用されることは理解されるであろう。クイックコネクタの一端の内側へと挿入される導管、チューブ状部材、若しくは流体使用部品の端部は、筒部(endform)として定義されている。この筒部は、一端が別のホース若しくは導管を受けるような別部材であっても良いし、細長い金属若しくはプラスチックチューブの一端に一体的に形成された成形物であっても良い。さらに、この筒部は、別部材として、ポンプ、フィルター、バルブ、マニホールドのような流体使用装置に一体的に形成若しくは装着されることができる。
【００１２】
本発明の教示に従って構成された流体クイックコネクタの態様の全ては、ポンプ、バルブ、マニホールドのような流体作動装置と、個々のチューブ、ホース等とを流体的にカップリングさせるために使用されるハウジング並びにリテイナーを使用している。
【００１３】
かくして、図１並びに図３ないし図７に示されているように、筒部２０が、先端部（第１の端部）２２と、この先端部２２から離間し径方向に拡大したビード即ちフランジ２４とを備えたほぼ円筒形状を有している。このフランジ２４は、筒部２０のチューブ状表面との接合部にショルダー部２３を形成している。ボア２６が、前記第１の端部２２から筒部２０を貫通して延びている。
【００１４】
流体クイックコネクタ３０が、本発明の一態様に従って、図１並びに図３ないし図７に示されている。このクイックコネクタ３０は、ハウジング３２と、シール手段と、スリーブ、即ちトップハット４０と、リテイナー４２とを有している。前記シール手段は、一例のみにおいて、少なくとも１つの、若しくは間に介在された硬質の環状スペーサ３８によって軸方向に離間された２つのＯ-リング３４，３６などである。
【００１５】
前記ハウジング３２は、ポリフタルアミド(PPA)が一例のみによって使用されているプラスチック、金属のような適切な材料によって形成されている。このハウジング３２は、階段状の外面が、第１の端面４６からこれと反対の第２の端面４８まで延びている状態のほぼ円筒形状を有している。このハウジング３２は、前記端面４６，４８間がほぼ真っ直ぐな形状であっても良いし、９０Ｅエルボー(90E elbow)のような折曲形状であっても良い。
【００１６】
前記ハウジング３２は、前記第１の端面４６に大径のフランジ５０を有している。小径の第１の外側部分５２が、前記大径フランジ５０から、さらに小径の第２の外側部分５４まで軸方向に延びている。より小径の第３の外側部分５６が、第２の外側部分５４の一端から延びている。前記フランジ５０近くに、好ましくは少なくとも一端で、複数のアパチャ６０が、ハウジング３２の第１の外側部分５２に形成されている。前記アパチャ６０は、ハウジング３２の第１の端面４６と第２の端面４８との間に延びている内孔６２に対して開口している。
【００１７】
少なくとも１つの、一例のみによれば、径方向に対向した２つのウインドウ６４が、また、ハウジング３２の前記第１の外側部分５２に形成されており、また、ハウジング３２の前記内孔６２に対して開口している。
【００１８】
図１に示されていないが、前記ハウジング３２の第３の外側部分５６は、チューブ、ホース、導管のような外部の流体使用若しくは流体作動部品に対する装着若しくは接続面として機能する。このような外部の部品は、前記第３の外側部分５６に軸方向に互いに離間して形成された鉤部や、回転溶接等によって、ハウジング３２の第３の外側部分５６に取着されることができる。
【００１９】
図４に示されているように、第１の端面４６と第２の端面４８との間で延びている前記内孔６２は、ハウジング３２の外面の階段状構造にほぼ類似した階段状構造を有している。かくして、この内孔６２は、ハウジング３２の第１の端面４６の所で、開口端部７２から延びている最大径の第１のボア部７０を有している。この内孔６２は、最大径の第１のボア部７０から小径の中間の（第２の）ボア部７４へと移行している。この中間のボア部７４からハウジング３２の第２の端面４８まで、さらに小径の第３のボア部７６が延びている。
【００２０】
図４に示されているように、前記第２のボア部７４と第３のボア部７６との間の移行部が、Ｏ-リング３４，３６とスペーサ３８とを重ねて配置させるための座部としての役割を果たすショルダー部を形成している。
【００２１】
図４並びに図７に示されているように、前記第１のボア部７０と第２のボア部７４とは、前記トップハット４０が、より詳細に以下に説明される第１の位置と第２の位置との間を軸方向に移動することを可能にするように、十分な長さを有している。第１のボア部７０と第２のボア部７４との間の移行部が、トップハット４０の突出部８２に係合されたときに制限ストッパーとしての役割を果たすショルダー部８０を形成し、このため、トップハット４０が、所定の位置で軸方向に移動することは制限される。このとき、トップハット４０の第２の端面８４は、前記Ｏ-リング３６に強制的に係合され、Ｏ-リングに圧縮力を加える。この結果、Ｏ-リング３４，３６は、ハウジング３２の第２のボア部７４の内面と、前記筒部２０の外面との間にシール状態で拡張されることができる。
【００２２】
図２並びに図４に示されているように、一例のみによってポリフタルアミド（PPA）のような適切な硬質材で形成され得る前記トップハット４０は、内孔９０が、第１の端面９２と第２の端面８４との間で延びている状態のほぼスリーブのような形状、即ち円筒形状を有している。ショルダー部９４が、第１の端面９２から延びている環状のリセス９６を規定するように、第１の端面９２から離間してトップハット４０の内側に形成されている。このリセス９６は、前記内孔９０の直径よりもわずかに大きい直径を有している。このリセス９６と前記ショルダー部９４とは、前記端面９２からショルダー部９４へと軸方向に延びている環状のリップ９８を形成している。
【００２３】
前記リセス９６の直径は、前記筒部２０がハウジング３２の内孔６２中に完全に挿入されたときに、筒部２０の拡大したフランジ２４を受けるようなサイズである。このとき、前記先端部２２から延びている筒部２０の端部は、Ｏ-リング３４，３６、スペーサ３８、トップハット４０によって、前記第３のボア部７６中にシール状態で支持される。
【００２４】
径方向で対向した２つの突出部１００が一例によって示されている、少なくとも１つの突出部１００が、前記第１の端面９２と環状突出部８２との間で、前記トップハット４０の外面に形成されている。突出部１００は、トップハット４０が、図４に示されているように、ハウジング３２の第１の端面４６に関連した第１の位置での軸方向の移動を制限するように、ハウジング３２の第１の外側部分５２のウインドウ、即ちアパチャ６４中で摺動される。
【００２５】
上述されたように、前記トップハット４０は、筒部２０がハウジング３２の内孔６２中に挿入されている間の筒部２０との係合に応じて、図４に示された第１の位置と、図７に示された第２の位置との間を移動するように、ハウジング３２の内孔６２中に移動可能に装着されている。
【００２６】
前記筒部２０の端部と前記トップハット４０の孔９０の内面との間の摩擦接触が、トップハット４０を第１の位置から第２の位置へと軸方向に移動させ得るが、トップハット４０のこの移動は、筒部２０のフランジ２４をトップハット４０のショルダー部９４に係合させることによって向上される。筒部２０がハウジング３２の内孔６２中へとさらに連続して挿入されると、トップハット４０は、図４に示された第１の位置から図７に示された第２の位置へと軸方向に移動される。
【００２７】
図１並びに図３ないし図９に示されているように、本発明の一態様のリテイナー４２が、金属、即ちステンレス鋼のようなばね材料で形成されたばね部材の形態である。このリテイナー４２は、少なくとも１つの、好ましくは径方向内方に延びた２つ以上の突出部、即ち隆起部−３つの突出部１１０，１１２，１１４が一例のみによって示されている−を有した不規則的なリング形状をしている。これら突出部１１０，１１２，１１４は、径方向外方に位置する接続セグメント１１６，１１８，１２０，１２２によって結合されている。これら突出部１１０，１１２，１１４と接続セグメント１１６，１１８，１２０，１２２との全ては、共通面にほぼ位置している。図８に示された緩和した通常の状態では、径方向内方の突出部１１０，１１２，１１４は、筒部２０のチューブ状部分の外径におおよそ一致した距離だけそれぞれ離間されている。この直径は、筒部２０のフランジ、即ちビード２４の外径よりも小さい。
【００２８】
前記接続セグメント１２０，１２２は、係合部材１２４，１２６で終端している。本発明のこの態様において、これら係合部材１２４，１２６は、一例のみによって、前記突出部１１０，１１２，１１４と、接続セグメント１１６，１１８，１２０，１２２とを含んだ平面から曲げられたループの形状である。これらループ、即ち係合部材１２４，１２６は、移動可能に互いに離間されている。筒部が位置される前（pre-endform）の図５に示されているように、係合部材１２４，１２６は、近接した状態で離間されている。
【００２９】
図４に簡単に示されているように、前記トップハット４０は、前記筒部２０がハウジング３２の内孔６２中に挿入される前に、上述された第１の位置にある。この第１の位置で、前記リップ９８は、ハウジング３２の１つ以上のアパチャ６０を横切るように軸方向に延びている。前記リテイナーが、ハウジング３２の第１の外側部分５２に装着されると、このリップ９８は、リテイナー４２の径方向内方の突出部１１０，１１２，１１４を、図５に示されているような径方向に拡大した位置へと押す。この拡大した位置では、前記突出部１１０，１１２，１１４間の内径、即ちスペースは、筒部２０のフランジ２４の外径よりも大きい。この結果、突出部１１０，１１２，１１４に通されたフランジ２４は、シール３４，３６と完全にシール係合するようにハウジング３２中に挿入、即ち通されることができる。上述されたように、前記筒部２０がトップハット４０と、特に、筒部２０のフランジ２４がトップハット４０のショルダー部９４と係合すると、トップハット４０は、図７に示された第２の位置へと軸方向に摺動して移動される。このように軸方向に移動されると、トップハット４０の環状のリップ９８は、ハウジング３２の１つ以上のアパチャ６０を過ぎて移動し、この結果、拡大したリテイナー４２の内方へのばね力が、図８に示された通常の形状へとリテイナー４２を径方向内方に戻すことができる。この位置で、上述されたように、前記突出部１１０，１１２，１１４は、筒部２０の長軸方向の外面、並びに/若しくはフランジ２４に近接若しくは接触するように配置され、この結果、筒部２０がハウジング３２にラッチされる。
【００３０】
前記リテイナー４２が、図５に示された拡大形状から、図８に示された収縮(retracted)形状、即ち通常の形状へと径方向内方に収縮している間に、前記係合部材１２４，１２６は、図８に示されてもいるように、互いに離れるようにさらに移動する。
【００３１】
図８に示された収縮位置において、前記係合部材１２４，１２６は、工具、若しくは指によって係合され、図５に示されたスペースへと絞られ、この結果、リテイナー４２を径方向外方へと十分に拡大し、筒部２０をハウジング３２から分離可能にすることができる。
【００３２】
このようにして分離されている間に、前記筒部２０とトップハット４０との間の摩擦力によって、トップハット４０は、図７に示された第２の位置から、図４に示された第１の位置へと戻るように軸方向に移動されであろう。リテイナー４２が図５に示された径方向の位置へと収縮することを防止し、筒部２０がハウジング３２中へ次に挿入されるための拡大位置にリテイナー４２を保持するように、トップハット４０のリップ９８が、ハウジング３２のアパチャ６０を横切るように配置されるので、リテイナー４２の係合部材１２４，１２６への絞る力(squeezing force)は、解除されることができる。
【００３３】
前記拡大フランジ、即ちビード２４の代わりに、筒部１３８が、図１０Ａ並びに図１０Ｂに示されているような、径方向内方に延び、ショルダー部１４０を形成している溝部、即ちリセス１３９を有することができる。この筒部１３８がハウジング３２と共に使用されるとき、リテイナー４２の径方向内方に延びた突出部１１０，１１２，１１４は、ハウジング３２内にあるときに筒部１３８を着脱可能にラッチするように、ラッチ位置にあるときにリセス１３９のショルダー部１４０に係合させるであろう。この他の場合には、リテイナー４２の動作は、筒部２０に関連して使用されたときと同じである。
【００３４】
本発明に従った流体クイックコネクタ１５０の他の態様が、図１１ないし図１６に示されている。この態様において、流体クイックコネクタ１５０は、上述されたハウジング３２と同一のハウジング３２を有している。このハウジング３２は、また上述されているように、階段状の筒型の外形と、階段状の内孔６２とを有している。
【００３５】
図１１並びに図１２の一例のみによって、複数の外側の環状鉤部１５２が、図示されていない可撓性のホース若しくは導管を、前記ハウジング３２に取着させるために、ハウジング３２の端部に形成されている。ハウジング３２の端面４８が、可撓性のホース若しくは導管中に挿入されるような導入部を与えるように、円錐形の傾斜面１５４が、ハウジング３２の第２の端面４８から延びている。Ｏ-リングシール１５６が、ハウジング３２と、これに装着されるホース若しくは導管との間にシールを与えるために、導入用の傾斜面１５４の一端の所で、環状溝部に装着されることができる。
【００３６】
この他の場合には、前記ハウジング３２は、本発明の第１の態様で上述したハウジングと同じであり、第１の端面４６のところの拡大フランジ５０と、このフランジ５０に隣接した少なくとも１つの、好ましくは複数の弓状アパチャ６０と、少なくとも１つの、若しくは２つ以上のウインドウ６４とを有している。
【００３７】
このクイックコネクタ１５０は、図１４並びに図１５により詳細に示されているトップハット１６０を有している。このトップハットは、上述されたトップハット４０と同じように機能するが、わずかに異なる形状を有している。このトップハット１６０は、図１２に示されたボア１６４が、第１の端面１６６と第２の端面１６８との間で延びている状態のほぼ筒型のスリーブ、即ち本体の形状である。環状のアンダーカット１７０が、第１の端面１６６に隣接してトップハット１６０に形成されており、このアンダーカットは、以下に説明されるワイヤーリテイナーのための座部を形成している。複数の離れた突出部１７２が、前記トップハット１６０の本体から外方に延びている。各突出部１７２は、ハウジング３２の複数のウインドウ６４の１つ中で摺動され、この結果、トップハット１６０のハウジング３２の孔６２中での軸方向の移動は制限される。
【００３８】
２つの突出部が、一例のみによって、図１１，１２，１４に示されているように、トップハット１６０の径方向で対向した部分に配置されているような、少なくとも１つ以上の突出部１７４が、トップハット１６０の隣接部分の外面から外方へと短い距離だけ突出している。各突出部１７４は、トップハット１６０の本体に一体的に形成されたフィンガーの形状をし、カットアウト、即ちウインドウ１７６に配置されている。突出部１７４は、前記筒部２０がハウジング３２に装着されたときに筒部２０に係合され、筒部２０がハウジング３２から分離されている間の筒部２０の移動と同時に、トップハット１６０が、第２の位置から第１の位置へと移動される。
【００３９】
このクイックコネクタ１５０のこの態様において、図１１ないし図１３、並びに図１６に示されたワイヤーリテイナー１８０が、エンドセグメント１８６によって一端部で相互接続されている互いに離間した１対の脚部１８２，１８４を有した弾性のばね材料で形成されている。これら脚部１８２，１８４の各々は、延長した突出部、即ちセグメント１８８，１９０によって内部を有している。これらセグメントは、真っ直ぐな形状を有していても良いし、図１３並びに図１６に示されているような弓形状を有していても良い。これらセグメント１８８，１９０間の距離は、筒部２０の長手方向部分の外径とおおよそ同じぐらいであるが、前記フランジ、即ちビード２４の外径よりも小さいサイズである。
【００４０】
前記セグメント１８８，１９０は、また、図１０Ａのリセス１４１に係合されるように、所定の形状、並びに/若しくはスペースを有するように構成されることができる。
【００４１】
各脚部１８２，１８４は、係合部材１９２，１９４で夫々終端している。これら係合部材１９２，１９４は、脚部１８２，１８４の共通面から角度をなして突出し、上述されたリテイナー４２の係合部材１２４，１２６と同じように機能する。
【００４２】
図１２に示されたようなトップハット１６０は、これが第１の位置にあるときにハウジング３２の１つ以上のアパチャ６０を横切るように延びているエンドリップ１９６を形成しているリセスを第１の端面１６６近くに有している。このため、前記脚部１８２，１８４を拡大し、前記セグメント１８８，１９０が、アパチャ６０を通ってハウジング３２の孔６２中へと延びることが防止される。このため、筒部２０の拡大フランジ２４は、孔６２の開口端を通ってハウジング３２中にシール係合の状態でスムーズに挿入されることができる。
【００４３】
しかし、前記トップハット１６０が挿入され筒部２０と係合するように軸方向に移動されると、トップハット１６０は、トップハット１６０のエンドリップ１９６から、アパチャ６０の所を通過して第２の位置へと移動する。これによって、リテイナー１８０の前記セグメント１８８，１９０は、図１３並びに図１６に示された位置へとアパチャ６０を通って径方向内方に収縮することができる。このとき、突出部１８８，１９０は、筒部２０の長手方向部分の周りにぴったりと適合し、フランジ２４に係合され、この結果、筒部２０をハウジング３２にラッチすることができる。
【００４４】
前記係合部材１９２，１９４を押し合わせると、前記突出部１８８，１９０は、径方向外方へと十分に拡大し、筒部２０はハウジング３２から分離されることができる。このような分離の間に、前記突出部１７４は、摩擦によって筒部２０に係合され、この結果、トップハット１６０は、図１２に示された第１の位置へと軸方向に摺動、即ち移動され、リテイナー１８０は、筒部２０がハウジング３２中に再挿入されるように拡大される。
【図面の簡単な説明】
【００４５】
【図１】本発明の一態様に従った流体クイックコネクタの分解斜視図である。
【図２】図１に示されたトップハットの右側の拡大斜視図である。
【図３】筒部がハウジングに対して導入される前の位置に配置された状態の、組み合わされたクイックコネクタハウジングと、リテイナーと、シール部材との部分的な分解斜視図である。
【図４】組み合わせ前の位置にある、図３に示された分解状態のクイックコネクタと筒部との長手方向の断面図である。
【図５】図１に示されたクイックコネクタの第１の態様のリテイナーが、筒部の導入前の位置で示されている斜視図である。
【図６】図１に示されたクイックコネクタと筒部とが組み合わされた長手方向の斜視図である。
【図７】図６に示されたクイックコネクタと筒部とが組み合わされた長手方向の断面図である。
【図８】筒部が導入された後の位置にある、図６並びに図７に示されたリテイナーの拡大斜視図である。
【図９】図６に示された組み合わされたクイックコネクタの右側の端面図である。
【図１０Ａ】図１ないし図９に示された本発明の第１の態様で使用可能な変形の筒部の右側の端面図である。
【図１０Ｂ】図１０Ａに示された変形の筒部の斜視図である。
【図１１】筒部が導入される前の状態で示された本発明の他の態様に従ったクイックコネクタの側面図である。
【図１２】図１１の１２−１２線に沿ってほぼ切断された長手方向の断面図である。
【図１３】図１１に示されたクイックコネクタの右側の端面図である。
【図１４】図１２に示されたトップハットの拡大側面図である。
【図１５】図１４に示された位置から９０度回転させた、図１２に示されたトップハットの側方平面図である。
【図１６】図１１ないし図１３に示されたリテイナーの拡大斜視図である。
【符号の説明】
【００４６】
２０・・・筒部、２４・・・フランジ、３０・・・流体クイックコネクタ、３２・・・ハウジング、４０・・・トップハット（スリーブ）、４２・・・リテイナー
【図１】
2006189156.tif 000003
【図２】
2006189156.tif 000004
【図３】
2006189156.tif 000005
【図４】
2006189156.tif 000006
【図５】
2006189156.tif 000007
【図６】
2006189156.tif 000008
【図７】
2006189156.tif 000009
【図８】
2006189156.tif 000010
【図９】
2006189156.tif 000011
【図１０Ａ】
2006189156.tif 000012
【図１０Ｂ】
2006189156.tif 000013
【図１１】
2006189156.tif 000014
【図１２】
2006189156.tif 000015
【図１３】
2006189156.tif 000016
【図１４】
2006189156.tif 000017
【図１５】
2006189156.tif 000018
【図１６】
2006189156.tif 000019
【手続補正書】
【提出日】平成18年3月8日(2006.3.8)
【手続補正１】
【補正対象書類名】明細書
【補正対象項目名】０００４
【補正方法】変更
【補正の内容】
【０００４】
挿入力が小さく、引出し力が大きいクイックコネクタは、組み立てが容易で、長期間の接続に信頼性があるため、顧客によって好まれる。筒部をハウジング中に挿入している間に、知られたワイヤーリテイナーを外方に押出すには、比較的強い挿入力が必要である。  
【特許文献１】ＵＳ４３５，９２７
【特許文献２】ＵＳ１，３８０，８２９
【特許文献３】ＵＳ１，９４９，４５１
【特許文献４】ＵＳ３，９２２，０１１
【特許文献５】ＵＳ４，８６９，５３４
【特許文献６】ＵＳ４，９９１，８８０
【特許文献７】ＵＳ５，２７３，３２３
【特許文献８】ＵＳ５，６５８，０２０
【特許文献９】ＵＳ５，８８２，０４４
【特許文献１０】ＵＳ５，９０９，９０１
【特許文献１１】ＵＳ６，１０２，４４７
【特許文献１２】ＵＳ６，１７２，３４５
【特許文献１３】ＵＳ６，５３３，３２７
【特許文献１４】ＵＳ６，６８１，４５８
【特許文献１５】ＵＳ２００４/００５１３１３
【特許文献１６】ＵＳ５，２１１，４２７
【特許文献１７】ＷＯ０４/０５１１３３
【特許文献１８】ＦＲ２，７０５，４３０
【特許文献１９】ＣＡ２，４４２，４６１
【外国語明細書】
2006189156000001.pdf